(57)【要約】【課題】鉛筆及びシャープペンシルのいずれを用いたかにかかわらず、原稿読取で得られた手書き部分を含む手書き原稿の画像を判別可能として、この手書き原稿の画像に対して画像処理を施す。【解決手段】画像形成装置１０は、原稿の画像を読取る画像読取部１１と、画像読取部１１により読取られた原稿の画像に基づき、予め設定された規定画像に相当する消しゴムのゴミ画像が原稿の画像に含まれているか否かを判定する制御部３１と、制御部３１によりゴミ画像が原稿の画像に含まれていると判定された場合に、原稿の画像に対して予め定められた画像処理を施す画像処理部２７と、を備える。【選択図】図２
2020022094.tif 000002
【特許請求の範囲】
【請求項１】
原稿の画像を読取る画像読取部と、
前記画像読取部により読取られた前記原稿の画像に基づき、消しゴムのカスを示す予め設定された規定画像に相当するゴミ画像が該原稿の画像に含まれているか否かを判定する制御部と、
前記制御部により前記ゴミ画像が前記原稿の画像に含まれていると判定された場合に、該原稿の画像に対して予め定められた画像処理を施す画像処理部と、を備える画像読取装置。
【請求項２】
前記規定画像は、紐状形状又は紡錘状形状である請求項１に記載の画像読取装置。
【請求項３】
前記画像処理部は、前記予め定められた画像処理として、前記原稿の画像の濃度、シャープネス、又はコントラストを予め定められた値だけ高くする画像処理を施す請求項１又は請求項２に記載の画像処理装置。
【請求項４】
前記制御部は、前記原稿の画像の長手方向中心において当該長手方向を直交する方向に横切って延び、当該長手方向に規定幅を有する帯領域に、前記ゴミ画像が含まれているか否かを判定する請求項１乃至請求項３のいずれか１つに記載の画像処理装置。
【請求項５】
前記制御部は、前記画像読取部により読取られた前記原稿の画像に基づき、前記ゴミ画像が該原稿の画像に含まれているか否かを判定すると共に、前記ゴミ画像の外周の影が該原稿の画像に含まれているか否かを判定し、
前記画像処理部は、前記制御部により前記ゴミ画像及び該ゴミ画像の外周の影が前記原稿の画像に含まれていると判定された場合に、該原稿の画像に対して前記予め定められた画像処理を施す請求項１乃至請求項４のいずれか１つに記載の画像処理装置。
【請求項６】
前記画像処理部は、前記原稿の画像における前記ゴミ画像が含まれない領域に対して、前記予め定められた画像処理を施す請求項１乃至請求項５のいずれか１つに記載の画像処理装置。
【請求項７】
前記画像処理部は、前記原稿の画像における前記ゴミ画像を消去して、当該ゴミ画像を消去した原稿の画像に対して、前記予め定められた画像処理を施す請求項１乃至請求項５のいずれか１つに記載の画像処理装置。
【請求項８】
前記制御部は、前記画像読取部により読取られた前記原稿の画像に基づき、罫線を示す罫線画像が該原稿の画像に含まれているか否かを判定し、
前記画像処理部は、前記制御部により前記ゴミ画像に加えて前記罫線画像が前記原稿の画像に含まれていると判定された場合に、該原稿の画像に対して前記予め定められた画像処理を施す請求項１乃至請求項７のいずれか１つに記載の画像処理装置。
【請求項９】
前記画像処理部は、前記原稿の画像における前記ゴミ画像及び前記罫線画像が含まれない領域に対して前記予め定められた画像処理を施す請求項８に記載の画像処理装置。
【請求項１０】
前記画像処理部は、前記原稿の画像における前記ゴミ画像を消去し、当該ゴミ画像を消去した原稿の画像における前記罫線画像が含まれない領域に対して前記予め定められた画像処理を施す請求項８に記載の画像処理装置。
【請求項１１】
前記制御部は、前記画像読取部により読取られた前記原稿の画像に基づき、前記ゴミ画像が該原稿の画像に含まれていると判定した場合に、該原稿の画像から手書き文字の領域を抽出し、
前記画像処理部は、前記手書き文字の領域に対して前記予め定められた画像処理を施す請求項１乃至請求項７のいずれか１つに記載の画像処理装置。
【請求項１２】
請求項１乃至請求項１１のいずれかに記載の画像処理装置と、
前記画像処理部により前記予め定められた画像処理を施された原稿の画像を記録紙に形成する画像形成部と、を備える画像形成装置。
【発明の詳細な説明】
【技術分野】
【０００１】
本発明は、画像処理装置及び画像形成装置に関し、特に、鉛筆書きの原稿を明瞭に記録するための技術に関する。
【背景技術】
【０００２】
スキャナーを備えた画像読取装置では、画像読取部により原稿の画像を読取るが、原稿が鉛筆書きのものである場合は、原稿の画像において鉛筆書き部分の画像が不明瞭になることがある。
【０００３】
このため、特許文献１に記載の画像形成装置では、画像の異なる複数箇所から文字をそれぞれ抽出して、これらの抽出した文字の線幅が閾値以上変化した場合に、鉛筆の芯の先端の減りにより文字の線幅が変化したものとみなして、原稿が鉛筆書きであると判定し、鉛筆書き用の画像処理を原稿の画像に施して、原稿の画像を記録紙に形成している。
【０００４】
また、特許文献２に記載の画像送信装置では、原稿の画像が鉛筆書きされたものであるか否かを判定し、原稿の画像が鉛筆書きされたものであると判定した場合に、原稿の画像をファクシミリ送信する前に警告を表示部に表示している。
【先行技術文献】
【特許文献】
【０００５】
【特許文献１】特開２０１７−１５８１４０号公報
【特許文献２】特開２００７−３２４８４０号公報
【発明の概要】
【発明が解決しようとする課題】
【０００６】
ここで、上記特許文献１では、鉛筆の芯の先端の減りによる文字の線幅が閾値以上変化した場合に原稿が鉛筆書きであると判定しているが、シャープペンシルで手書きされた原稿では、シャープペンシルの芯の先端が減っても文字の線幅が殆ど変化しないので、原稿が手書きであるか否かを判定することができない。よって、原稿の画像を明瞭に記録紙に記録することができない。
【０００７】
また、上記特許文献２では、原稿の画像が鉛筆書きされたものであると判定した場合に、警告を表示部に表示しているに過ぎない。
【０００８】
本発明は、上記の事情に鑑みなされたものであり、鉛筆及びシャープペンシルのいずれを用いたかにかかわらず、原稿読取で得られた手書き部分を含む手書き原稿の画像を判別可能として、この手書き原稿の画像に対して画像処理を施すことを目的とする。
【課題を解決するための手段】
【０００９】
本発明の一局面にかかる画像読取装置は、原稿の画像を読取る画像読取部と、前記画像読取部により読取られた前記原稿の画像に基づき、消しゴムのカスを示す予め設定された規定画像に相当するゴミ画像が該原稿の画像に含まれているか否かを判定する制御部と、前記制御部により前記ゴミ画像が前記原稿の画像に含まれていると判定された場合に、該原稿の画像に対して予め定められた画像処理を施す画像処理部と、を備えるものである。
【００１０】
本発明の一局面にかかる画像形成装置は、上記画像処理装置と、前記画像処理部により前記予め定められた画像処理を施された原稿の画像を記録紙に形成する画像形成部と、を備えるものである。
【発明の効果】
【００１１】
本発明によれば、鉛筆及びシャープペンシルのいずれを用いたかにかかわらず、原稿読取で得られた手書き部分を含む手書き原稿の画像を判別可能であり、この手書き原稿の画像に対して画像処理を施すことができる。
【図面の簡単な説明】
【００１２】
【図１】本発明の一実施形態にかかる画像読取装置の一例である画像形成装置を示す断面図である。
【図２】本実施形態の画像形成装置の主要内部構成を示すブロック図である。
【図３】原稿が手書きされたノートであるか否かを判定し、原稿が手書きされたノートであると判定した場合に、原稿の画像に対して予め定められた画像処理を施すための処理手順を示すフローチャートである。
【図４】開かれたノートを示す平面図である。
【図５】（Ａ）は閉じられたノートを示す斜視図であり、（Ｂ）は開かれたノートを示す斜視図である。
【発明を実施するための形態】
【００１３】
以下、本発明の一実施形態に係る画像読取装置及び画像形成装置ついて図面を参照して説明する。図１は、本発明の一実施形態にかかる画像読取装置の一例である画像形成装置を示す断面図である。この図１に示す画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１４】
画像読取部１１は、原稿の画像を光学的に読み取る撮像素子を有し、当該読取った原稿の画像を出力する。
【００１５】
画像形成部１２は、上記画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１６】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１７】
次に、画像形成装置１０の制御に係る構成について説明する。図２は、画像形成装置１０の主要内部構成を示す機能ブロック図である。この図２に示すように画像形成装置１０は、画像読取部１１と、画像形成部１２と、表示部２１と、操作部２２と、タッチパネル２４と、画像メモリー２６と、画像処理部２７と、記憶部２８と、制御ユニット２９とを備えている。これらの構成要素は、互いにバスを通じてデータ又は信号の送受信が可能とされている。
【００１８】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどのハードキーを備えている。
【００１９】
表示部２１の画面には、タッチパネル２４が配置されている。タッチパネル２４は、所謂抵抗膜方式や静電容量方式などのタッチパネルであって、タッチパネル２４に対するユーザーの指などの接触（タッチ）をその接触位置とともに検知して、その接触位置の座標を示す検知信号を制御ユニット２９の後述する制御部３１などに出力する。
【００２０】
画像処理部２７は、画像メモリー２６内の画像に対して、シェーディング補正などの様々な画像処理を施す。
【００２１】
記憶部２８は、ＳＳＤ（Solid State Drive）、ＨＤＤ（Hard Disk Drive）などの大容量の記憶装置であって、各種のアプリケーションプログラムや種々の情報等を記憶している。
【００２２】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２３】
制御部３１は、画像形成装置１０を統括的に制御する。制御ユニット２９は、表示部２１、操作部２２、タッチパネル２４、画像メモリー２６、画像処理部２７、記憶部２８、画像読取部１１、及び画像形成部１２などと接続されている。制御部３１は、これらの構成要素の動作制御や、該各構成要素との間での信号またはデータの送受信を行う。
【００２４】
制御部３１は、画像形成装置１０による画像形成に必要な各種の処理などを実行する処理部としての役割を果たす。また、制御部３１は、表示部２１の表示動作を制御する機能を有する。
【００２５】
このような構成の画像形成装置１０において、ユーザーが、原稿を画像読取部１１にセットし、操作部２２を操作して、コピーを指示すると、制御部３１は、画像読取部１１により原稿の画像を読取らせて、この原稿の画像を画像メモリー２６に記憶させる。画像処理部２７は、画像メモリー２６内の原稿の画像に対して各種の処理を施し、画像形成部１２が該原稿の画像を記録紙に形成する。
【００２６】
また、制御部３１は、原稿の画像が画像メモリー２６に記憶されると、この原稿の画像を解析して、当該画像が、原稿が手書きされたノートが読み取られた画像であるか否かを判定する（判定処理の詳細は後述）。この手書きされたノートとは、鉛筆やシャープペンシルで文字などが手書きされたノートである。そして、制御部３１により、上記画像が、手書きされたノートが読み取られた画像であると判定された場合に、画像処理部２７が、上記画像に対して濃度、シャープネス、又はコントラストを予め定められた値だけ高くする画像処理を施す。画像形成部１２は、当該画像処理後の画像を記録紙に形成する。これにより、手書きされた文字などが記録紙に明瞭に形成される。
【００２７】
次に、原稿が手書きされたノートであるか否かを判定し、原稿が手書きされたノートであると判定した場合に、原稿の画像に対して濃度、シャープネス、又はコントラストを高くする画像処理を施すための処理手順を、図３に示すフローチャートなどを参照して詳しく説明する。
【００２８】
例えば、ユーザーは、原稿を画像読取部１１にセットし、操作部２２を操作して、コピーを指示する。制御部３１は、コピーの指示に応じて画像読取部１１により原稿の画像を読取らせて、この原稿の画像を画像メモリー２６に記憶させる（Ｓ１０１）。
【００２９】
制御部３１は、原稿の画像が画像メモリー２６に記憶されると、この原稿の画像を解析して、罫線を示す画像が原稿の画像に含まれているか否かを判定する（Ｓ１０２）。
【００３０】
図４に示すようにノート４０には罫線４１が印されていることが多い。このため、ノートが原稿として画像読取部１１にセットされ、画像読取部１１によりノートが原稿として読取られた場合は、この原稿の画像に罫線を示す画像が含まれている可能性が高い。
【００３１】
例えば、制御部３１は、画像メモリー２６内の原稿の画像を解析して、濃度が予め定められた閾値に達している直線形状からなる画像を、罫線を示す画像として抽出する演算処理を行うことで、罫線を示す画像が原稿の画像に含まれているか否かを判定する（Ｓ１０２）。
【００３２】
また、原稿がノート４０である場合は、図４に示すように鉛筆やシャープペンシルを用いて、文字などがノート４０に手書きされた後、この文字などが消しゴム４２で消されて、消しゴム４２のカス４３がノート４０の頁の表面に残ることがある。更に、図５（Ａ）に示すようにノート４０が一旦閉じられ、図５（Ｂ）に示すように再度開かれると、開かれたノート４０の長手方向中心において当該長手方向を直交する方向に横切って延び、当該長手方向に規定幅を有する帯領域、つまりノート４０の綴じしろとなる余白の帯領域（図５（Ｂ））に消しゴム４２のカス４３が集まる。この消しゴム４２のカス４３は、細長い紐状であったり、またノート４０が一旦閉じられて再度開かれたときには押しつぶされて紡錘状になったりするので、その輪郭の形状に特徴がある。
【００３３】
また、画像読取部１１によりノートが原稿として読取られた場合は、読み取られた原稿の画像におけるノート４０の余白の帯領域に相当する領域Ｅ（図４）に、上記消しゴム４２のカス４３を示すゴミ画像が存在する可能性が高い。
【００３４】
記憶部２８は、消しゴム４２のカス４３の輪郭を示す、予め用意された複数の紐状形状、及び予め用意された複数の紡錘状形状、の各形状からなるそれぞれの画像を、上記規定画像として予め記憶している。
【００３５】
そこで、制御部３１は、記憶部２８に予め記憶されている規定画像に相当するゴミ画像が領域Ｅ（開かれたノート４０の長手方向中心において当該長手方向を直交する方向に横切って延び、当該長手方向に規定幅を有する帯領域である、ノート４０の綴じしろとなる余白の帯領域に相当する領域。図４参照）に含まれているか否かを判定する（Ｓ１０３）。
【００３６】
例えば、制御部３１は、原稿の画像を解析して、罫線を示す画像が存在する領域を特定し、原稿の画像における該罫線を示す画像が延びる方向において、同方向に並ぶ２つの罫線を示す画像の間となる領域（罫線を示す画像が存在しない領域。図４参照）を、原稿の画像における帯領域Ｅ（ノート４０の綴じしろとなる余白の帯領域に相当）として検出する。罫線は、開かれたノート４０の長手方向と平行に印されていることが多いので、原稿の画像における罫線に基づきノート４０の綴じしろとなる余白の帯領域Ｅを求めることができる。
【００３７】
そして、例えば、制御部３１は、原稿の画像におけるノート４０の綴じしろとなる余白の帯領域Ｅの画像を解析して、この余白の帯領域Ｅに存在する各画像の輪郭を検出する演算処理を行う。制御部３１は、検出した画像のいずれかの輪郭が、記憶部２８に記憶されている上記規定画像の輪郭に近似又は一致（相似を含む）するか否かを例えばパターンマッチング処理で判定することにより、消しゴムのゴミ画像が余白の帯領域Ｅに含まれているか否かを判定する（Ｓ１０３）。すなわち、制御部３１は、検出した画像のいずれかの輪郭が、記憶部２８に記憶されている上記規定画像の輪郭に近似又は一致する場合に、当該上記規定画像に近似又は一致する画像がゴミ画像であり、ゴミ画像が余白の帯領域Ｅに含まれていると判定する。
【００３８】
帯領域Ｅに存在する画像がゴミ画像である場合、当該ゴミ画像は、ノート４０が原稿として読み取られた画像におけるノート４０の地肌部分との濃度差が大きいため（例えば、地肌色は白地又は白地に近い淡色、ゴミ画像は黒色又は黒色に近い色であるため）、制御部３１は、当該濃度差に基づいて、帯領域Ｅに存在する画像の輪郭を検出する。
【００３９】
そして、制御部３１は、罫線が原稿の画像に含まれていると判定し（Ｓ１０２「Ｙｅｓ」）、かつ、消しゴムのゴミ画像が帯領域Ｅに含まれていると判定すると（Ｓ１０３「Ｙｅｓ」）、原稿が手書きされたノートであると判定する。制御部３１により原稿が手書きされたノートであると判定されると、画像処理部２７は、Ｓ１０１で読み取られた原稿の画像全体に対して予め定められた画像処理、ここでは、濃度、シャープネス、又はコントラストを予め定められた値だけ高くする画像処理を施す（Ｓ１０４）。この後、制御部３１は、画像形成部１２に当該原稿の画像を記録紙に形成させる（Ｓ１０５）。
【００４０】
これにより、鉛筆及びシャープペンシルのいずれを用いたかにかかわらず、原稿読取で得られた画像が鉛筆及びシャープペンシルのいずれかで描かれた手書き部分を含む手書き原稿の画像であることを的確に判別して、この手書き原稿の画像に対して予め定められた画像処理を施すことが可能である。原稿の画像は、鉛筆やシャープペンシルを用いてノートに手書きされた文字などを示す画像部分を含めてその全体が、濃度、シャープネス、又はコントラストの画像処理により高くなるため、手書きされた文字などを示す画像が鮮明になる。そして、このように鮮明になった手書きされた文字などを示す画像部分を含む原稿の画像を記録紙に明瞭に形成することができる。
【００４１】
また、制御部３１は、罫線が画像メモリー２６内の原稿の画像に含まれていないと判定するか（Ｓ１０２「Ｎｏ」）、又は、消しゴムのゴミ画像が帯領域Ｅに含まれていないと判定すると（Ｓ１０３「Ｎｏ」）、原稿が手書きされたノートであるとは判定しない。このとき、画像処理部２７は、Ｓ１０４の処理を行わない。このため、制御部３１は、画像処理部２７が原稿の画像に対して濃度、シャープネス、又はコントラストを予め定められた値だけ高くする画像処理がされていない原稿の画像を、画像形成部１２により記録紙に画像形成させる（Ｓ１０５）。
【００４２】
このように本実施形態では、原稿の画像を解析して、罫線が原稿の画像に含まれているか否かを判定すると共に、消しゴムのゴミ画像が原稿の画像における帯領域Ｅに含まれているか否かを判定し、これらの判定結果に基づき、原稿の画像が手書きされたノートであるか否かを判定しているので、鉛筆及びシャープペンシルのいずれで手書きされたかにかかわらず、手書きされたノートであるか否かの判定を比較的簡単な処理で高精度に行うことができる。更には、手書きされた文字などを示す画像に対して上記予め定められた画像処理が施されるため、当該手書きされた文字などを示す画像を鮮明に表すことができる。
【００４３】
また、ボールペンやマジックで文字などが手書きされた場合は、文字などが明瞭に印されているので、予め定められた画像処理を必要としないが、この場合は消しゴムを使うことがなく、上記実施形態では、消しゴムのゴミ画像が検出されることもないので、ボールペンやマジックで文字などが手書きされた原稿が読み取られた画像に対して、上記予め定められた画像処理が無駄に実施されることもない。
【００４４】
なお、本実施形態では、制御部３１は、罫線が原稿の画像に含まれていると判定することを条件に（Ｓ１０２「Ｙｅｓ」）、画像処理部２７が、濃度、シャープネス、又はコントラストを予め定められた値だけ高くする上記画像処理を施すが、画像処理部２７は、罫線が原稿の画像に含まれていると判定されることを条件とせずに上記画像処理を施すようにしてもよい。
＜変形例１＞
【００４５】
変形例１では、制御部３１は、原稿の画像の帯領域Ｅに存在する画像の輪郭が上記規定画像に近似又は一致するか否かを判定する演算処理を行うだけではなく、更に、画像を検出した際に当該画像の外周の影の有無も判定する。
【００４６】
消しゴム４２のカス４３には充分な厚みがあるため、消しゴムのゴミ画像の外周に影が生じる。これに対して厚みが無いか少ない他の物体の外周には影が生じないか殆ど生じない。そこで、制御部３１は、帯領域Ｅにおいて検出した上記画像の輪郭が上記規定画像に近似又は一致することに加え、かつ、上記画像の外周に影が有る場合にのみ、上記画像をゴミ画像と判定し、消しゴムのゴミ画像が原稿の画像における帯領域Ｅに含まれていると判定する。これにより、ゴミ画像が帯領域Ｅに含まれているか否かについての判定精度が向上する。
＜変形例２＞
【００４７】
変形例２では、画像処理部２７は、消しゴムのゴミ画像以外である原稿の画像の領域を特定し、この特定した画像の領域のみに対して濃度、シャープネス、又はコントラストを予め定められた値だけ高くする上記画像処理を施す。これにより、消しゴムのゴミ画像に対しては濃度、シャープネス、又はコントラストを高くする画像処理が施されず、手書きされた文字などを示す画像については鮮明に表すことができる。
【００４８】
また、画像処理部２７は、消しゴムのゴミ画像を原稿の画像から消去し、このゴミ画像が消去された原稿の画像全体に対して濃度、シャープネス、又はコントラストを予め定められた値だけ高くする上記画像処理を施しても構わない。
【００４９】
あるいは、画像処理部２７は、消しゴムのゴミ画像を原稿の画像から消去し、更に罫線が含まれない該原稿の画像の領域を特定し、この特定した画像の領域のみに対して濃度、シャープネス、又はコントラストを予め定められた値だけ高くする上記画像処理を施してもよい。これにより、消しゴムのゴミ画像や罫線に対しては濃度、シャープネス、又はコントラストを高くする画像処理が施されず、手書きされた文字などを示す画像については鮮明に表すことができ、更に、罫線を示す画像が無駄に明瞭化されることがなくなる。
＜変形例３＞
【００５０】
変形例３では、手書きで文字などが記された本などの画像が画像読取部１１により読取られることを前提とする。この本には、活字だけではなく手書きの文字が印されている。また、この本には、罫線が印されていない。
【００５１】
この場合、制御部３１は、消しゴムのゴミ画像が本などの画像に含まれているか否かを判定するが、罫線が本などの画像に含まれているか否かを判定しない。そして、制御部３１は、消しゴムのゴミ画像が本などの画像に含まれていると判定すると、この本などの画像から手書き文字の領域を抽出する。画像処理部２７は、その手書き文字の領域のみに対して濃度、シャープネス、又はコントラストを高くする画像処理を施し、画像形成部１２がその画像処理された画像を記録紙に形成する。このため、本などに手書きで記された文字などが記録紙に明瞭に形成されながらも、活字が無駄に明瞭化されることがない。また、本の全頁の画像に対して手書き文字の領域を抽出する処理が行われず、消しゴムのゴミ画像が含まれている頁のみに対して手書き文字の領域を抽出する処理が行われるので、演算量の増大を抑えることができる。
【００５２】
上記手書き文字の領域の抽出は次のようにして行う。例えば、制御部３１は、手書きに起因する揺らぎを利用して、手書き文字領域と活字領域を判別する既知の方法によって、原稿の画像から手書き文字領域を抽出する。あるいは、制御部３１は、ＯＣＲ機能により原稿の画像に含まれる文字を認識して、文字認識ができた画像部分を活字領域と判別し、文字認識ができない画像部分を手書き領域と判別することで、手書き文字領域を抽出する。
【００５３】
また、図１乃至図５を用いて説明した上記実施形態の構成及び処理は、本発明の一例に過ぎず、本発明を当該構成及び処理に限定する趣旨ではない。
【符号の説明】
【００５４】
１０    画像形成装置
１１    画像読取部
１２    画像形成部
２１    表示部
２２    操作部
２４    タッチパネル
２６    画像メモリー
２７    画像処理部
２８    記憶部
２９    制御ユニット
３１    制御部
【図１】
2020022094.tif 000003
【図２】
2020022094.tif 000004
【図３】
2020022094.tif 000005
【図４】
2020022094.tif 000006
【図５】
2020022094.tif 000007